(57)【要約】      （修正有）【課題】激しい動きを伴うスポーツや作業の際にも、脱落したり、ズレたりすることなく、装用者の頭部に確実に保持することが出来、外観的にも違和感のない、保持性にすぐれたメガネを提供する。【解決手段】ブリッジ２によって連結された左右一対のレンズ部１の外側端に取付けられている智３に、一対の可撓性を有する金属線４の一端をそれぞれ固定し、金属線の他端を、軸芯方向に一対のトンネル状の透孔が形成されている金属製のオーバルスリーブ５の一方の透孔に挿入し、かしめ固定すると共に、オーバルスリーブのもう一方のトンネル状の透孔に、他方の金属線をスライド自在に挿通し、これら一対の金属線によって長さ調整可能な頭部囲撓ループ７を形成し、この頭部囲繞ループによってレンズ部を装用者の顔面所定位置に保持出来る様にした。【選択図】図１
0003225281.tif 000002
【実用新案登録請求の範囲】
【請求項１】
ブリッジによって連結された左右一対レンズ部の外側端に取付けられている智に、一対の可撓性を有する金属線の一端がそれぞれ固定されており、これら金属線の他端は、軸芯方向に一対のトンネル状の透孔が形成されている金属製のオーバルスリーブの一方の透孔に挿入されかしめ固定されていると共に、該オーバルスリーブのもう一方のトンネル状の透孔には、他方の金属線がスライド自在に挿通され、これら一対の金属線によって長さ調整可能な頭部囲撓ループが形成されており、この頭部囲繞ループによってレンズ部を装用者の顔面所定位置に保持する様にした保持性にすぐれたメガネ。
【考案の詳細な説明】
【技術分野】
【０００１】
この考案は保持性にすぐれたメガネ、詳しくは、装用時のズレが少なく、スポーツ用などとして好適なメガネに関する。
【背景技術】
【０００２】
一般的に、メガネは左右レンズ部の両端から延設されたテンプルの後端部に取付けられたモダンを装用者の耳に掛けて、装用者の頭部に保持する様になっている。
【先行技術文献】
【特許文献】
【０００３】
【特許文献１】なし
【非特許文献】
【０００４】
【非特許文献１】なし
【考案の概要】
【考案が解決しようとする課題】
【０００５】
上述の様に、従来のネガネにおいては、モダンを装用者の耳に単に上から掛けているだけなので、装用者の頭部への固定が十分とは言えず、装用時の振動に弱く、強い振動が加わると位置がずれたり脱落してしまうことがあり、激しい動きを伴うスポーツや作業の際の装用には問題があった。
この為、メガネを装用者の頭部により確実に固定しようとする試みは従来からいくつかなされていたが、外観から重視されるメガネにおいて、満足されるものはあまり見当たらなかった。
【０００６】
本考案者は、メガネに関する上記問題点を解決すべく鋭意研究を行った結果、激しい動きを伴うスポーツや作業の際にも、脱落したり、ズレたりすることなく、装用者の頭部に確実に保持することが出来、外観的にも違和感のない、保持性にすぐれた斬新なメガネを開発することに成功し、本考案としてここに提案するものである。
【課題を解決するための手段】
【０００７】
ブリッジによって連結された左右一対のレンズ部の外側端に取付けられている智に、一対の可撓性を有する金属線の一端をそれぞれ固定し、これら金属線の他端を、軸芯方向に一対のトンネル状の透孔が形成されている金属製のオーバルスリーブの一方の透孔に挿入しかしめ固定すると共に、該オーバルスリーブのもう一方のトンネル状の透孔に、他方の金属線をスライド自在に挿通し、これら一対の金属線によって長さ調整可能な頭部囲撓ループを形成し、この頭部囲繞ループによってレンズ部を装用者の顔面所定位置に保持出来る様にして、上記課題を解決した。
【考案の効果】
【０００８】
一対の可撓性を有する金属線によって構成された頭部囲繞ループを拡げ、この頭部囲撓ループをメガネ装用者の頭部にかぶせた後、これを縮め、装用者の頭部をこの頭部囲撓ループによって囲繞し、ブリッジによって連結された左右一対のレンズ部を装用者の顔面の所定位置に保持せしめて使用に供するものであり、はちまき状に頭部に巻き付けられた頭部囲繞ループによって左右一対のレンズ部は顔面の所定位置にしっかりと保持されているので、装用中に上下、左右、前後などあらゆる方向から激しい振動が加わっても、このメガネがズレたり脱落したりすることはない。
又、頭部囲繞ループを頭部に巻き付ける位置は適宜選ぶことが可能で、状況に応じて後頭部上部や後頭部下部に達する様に巻き付けても良く、そうすることによってより一層保持性を高めることが出来る。
【０００９】
更に、頭部囲繞ループは可撓性を有する金属線によって構成されているので、耐久性にすぐれているだけではなく、軽量で装用中に違和感を生じさせることはなく、視覚的にも目立たず、むしろメガネのスポーティさ、斬新さ、高品質さを訴求し、メガネの新たな需要を喚起し得る効果を有する。
【図面の簡単な説明】
【００１０】
【図１】この考案に係る保持性にすぐれたメガネの一実施例の斜視図。
【図２】図１における破線Ａで囲われた部分の拡大図。
【図３】同じく、その要部であるオーバルスリーブ部分の拡大縦断面図。
【図４】同じく、その要部であるオーバルスリーブ部分の拡大斜視図。
【図５】同じく、実際に装用した状態の側面図。
【考案を実施するための形態】
【００１１】
メガネの顔面への固定手段として一対の可撓性を有する金属線を組み合わせて構成した頭部囲繞ループを用いた点に最大の特徴が存する。
【実施例】
【００１２】
図１はこの考案に係る保持性にすぐれたメガネの一実施例の斜視図、図２はその要部の拡大側面図であり、図中１は左右一対のレンズ部、２はこのレンズ部を連結しているブリッジ、３は前記レンズ部１の外側端に取付けられた智、８は前記ブリッジ２から延設された鼻当てであり、これらはメガネにおいて必ず備わっている構成要素である。又、智はヨロイとも称され、レンズ部とテンプルとをつなげる為に用いられる部材である。
なお、この実施例に示すメガネは、レンズ部１にブリッジ２及び智３とが直接固定されている所謂ツーポイントというタイプであるが、一般的なメタルフレームやセルフレームであっても良い。
【００１３】
一方、図中４は可撓性を有する金属線、５はオーバルスリーブであり、いずれも本考案の重要な構成要素で、それぞれ同寸法のものが一対つづ用いられている。
金属線４はバネ性を有し、適度に撓むことが出来ることが肝要であり、この実施例においては直径０．６ｍｍ程度のステンレスワイヤーを用いた。なお、ステンレスワイヤーは耐蝕性にすぐれ、適度な撓みを持つので、本考案における金属線４としては最適である。
又、オーバルスリーブ５は、図２乃至図４に示す様に、軸心方向に一対のトンネル状の透孔６，６が平行に形成されている金属製の部材であり、金属線の端末処理や金属線同士の接続、結束などの為に従来から広く用いられるものである。
【００１４】
そして、この一対の金属線４の一端はそれぞれ智３に固定されていると共に、その他端は、図３に示す様に、抜け防止の為に「く」字形に屈曲せしめられ、前記オーバルスリーブ５の一方の透孔６内に挿入されてかしめ固定されている。又、このオーバルスリーブ５のもう一方の透孔６には、それぞれもう一本の金属線４がスライド自在に挿通されており、これら一対の金属線４，４によって長さ調整可能の頭部囲繞ループ７が形成されている。
【００１５】
この頭部囲繞ループ７は、オーバルスリーブ５の位置を移動させることにより、拡げたり狭めたり出来る様になっており、拡げた際には装用者の頭部９の外周より十分に大きくなり、狭めた際には装用者の頭部９の外周をはちまき状にぴったりと囲繞出来る寸法になる様に設定されている。
【００１６】
この実施例は上記の通りの構成を有するものであり、一対の金属線４，４によって構成された頭部囲繞ループ７を拡げ、この頭部囲繞ループ７をメガネ装用者の頭部９にかぶせた後、これを縮め、図５に示す様に、装用者の頭部９をこの頭部囲繞ループ７によって囲繞し、ブリッジ２によって連結された左右一対のレンズ部１，１を装用者の顔面の所定位置に保持せしめて使用に供するものであり、はちまき状に頭部に巻き付けられた頭部囲繞ループ７によって左右一対のレンズ部１，１は顔面の所定位置にしっかりと保持されているので、装用中に上下、左右、前後などあらゆる方向から激しい振動が加わっても、このメガネがズレたり脱落したりすることはない。
なお、図５に示す装用例では、頭部囲繞ループ７はほぼ水平になる様に頭部に巻き付けられているが、後頭部上部や後頭部下部に接する様に巻き付けても良く、状況に応じて囲繞位置を適宜選ぶことにより、より一層保持性を高めることが出来る。
又、頭部囲繞ループ７は可撓性を有する金属線４によって構成されているので、耐久性にすぐれているだけではなく、軽量で装用中に違和感を生じさせることはなく、視覚的にも目立たず、むしろメガネのスポーティさ、斬新さ、高品質さを訴求し、メガネの新たな需要を喚起し得る効果を有する。
【産業上の利用可能性】
【００１７】
視力矯正用のメガネだけではなく、サングラスや防塵メガネなどにも大いに利用価値がある。
【符号の説明】
【００１８】
１．レンズ部
２．ブリッジ
３．智
４．金属線
５．オーバルスリーブ
６．透孔
７．頭部囲繞ループ
８．鼻当て
９．頭部
【図１】
0003225281.tif 000003
【図２】
0003225281.tif 000004
【図３】
0003225281.tif 000005
【図４】
0003225281.tif 000006
【図５】
0003225281.tif 000007